(57)【要約】【課題】  防災頭巾の着脱が容易にできるとともに、頭巾本体による使用者側への加圧の状態も容易に調整できる防災頭巾用留め具を提供する。【解決手段】  前方側と下方側とが解放された頭巾本体２を、使用者Ｍ側に加圧して、防災頭巾使用時のぶれ及び脱落を防止する防災頭巾用留め具３であって、端部が頭巾本体２の左右の側面部２５，２６にそれぞれ連結されるとともに、中間位置に形成した折曲部周りに把持部３０ａが形成できるように、一方と他方の端部側３０ｂ，３０ｃ同士の一部が互いに結合されている帯状のゴムバンド３０と、ゴムバンド３０の一方と他方の端部側３０ｂ，３０ｃがそれぞれ差し込まれる一対の細長いスリット孔が形成され、ゴムバンド３０が引き伸ばされて薄くなるとこのゴムバンド３０に沿って移動できるが、ゴムバンド３０の引き延ばしをやめると、その位置で移動を停止する移動板３１とを有する。【選択図】        図６
0003139188.tif 000002
【実用新案登録請求の範囲】
【請求項１】
前方側と下方側とが解放された頭巾本体を、使用者側に加圧して、防災頭巾使用時のぶれ及び脱落を防止する防災頭巾用留め具であって、
端部が前記頭巾本体の左右の側面部にそれぞれ連結されるとともに、中間位置に形成した折曲部周りに把持部が形成できるように、一方と他方の端部側同士の一部が互いに結合されている帯状のゴムバンドと、
前記ゴムバンドの前記一方と他方の端部側がそれぞれ差し込まれる一対の細長いスリット孔が形成され、前記ゴムバンドが引き伸ばされて薄くなるとこのゴムバンドに沿って移動できるが、前記ゴムバンドの引き延ばしをやめると、その位置で移動を停止する移動板とを有することを特徴とする防災頭巾用留め具。
【請求項２】
前記ゴムバンドの端部が、前記頭巾本体の前記左右の側面部の前端から離れた後部側にそれぞれ連結されているとともに、前記頭巾本体の前記左右の側面部に、前記ゴムバンドの上下移動を防止するガイドが形成されていることを特徴とする請求項1記載の防災頭巾用留め具。
【請求項３】
前記移動板の前記スリット孔には、前記ゴムバンドの端部の一部が差し込める案内孔が設けられていることを特徴とする請求項１又は２記載の防災頭巾用留め具。
【考案の詳細な説明】
【技術分野】
【０００１】
この考案は、使用時に防災頭巾がぶれたり脱落するのを防止する防災頭巾用留め具に関するものである。
【背景技術】
【０００２】
防災頭巾には、使用中の防災頭巾が頭部から脱落したり、頭部等に対してぶれたりするのを防止するために、頭巾本体に種々の留め具が取り付けられている。例えば、特許文献１に記載の防災頭巾１００では、図７で示されるように、頭巾本体１０１の左右の前端部に、これらを繋ぐようにゴムバンド（留め具）１０２が取り付けられている。この防災頭巾１００では、これを頭部等に装着するには、ゴムバンド１０２を伸ばして、頭巾本体１０１の下方側開口Ｑを広げる必要があるとともに、装着後は、ゴムバンド１０２がやや伸びた状態になるので、頭巾本体１０１が使用者の頭部や顔の側面部等を加圧し、防災頭巾１００のぶれや脱落が防止される。
【０００３】
また、別の防災頭巾では、頭巾本体の左右の前端部に、留め具となる一対のむすび紐が取り付けられており、この防災頭巾を頭部にかぶった後に、一対のむすび紐を結んで、頭巾本体で使用者の頭や顔の側面部を加圧し、使用時における防災頭巾のぶれや脱落を防止している。
【０００４】
【特許文献１】特開２０００−１１９９１１
【考案の開示】
【考案が解決しようとする課題】
【０００５】
しかしながら、留め具として単なるゴムバンド１０２を用いたものは、防災頭巾１００をかぶったり脱ぐときに、ゴムバンド１０２を充分に伸ばした状態にする必要が有り、防災頭巾１００の着脱が容易でないという問題が有るとともに、使用者の頭部や顔の大きさによって、頭巾本体１０１による使用者側への加圧の状態が異なり、きつすぎて装着感がよくなかったり、ゆるすぎて防災頭巾１００がぶれたり脱落しやすいという問題があった。また、留め具としてむすび紐を用いたものは、むすび紐を結んだりほどいたりするのに手間がかかり、防災頭巾の着脱が容易でないという問題があった。
【０００６】
この考案は、以上の点に鑑み、防災頭巾の着脱が容易にできるとともに、頭巾本体による使用者側への加圧の状態を容易に調整できる防災頭巾用留め具を提供することを目的とする。
【課題を解決するための手段】
【０００７】
この考案の請求項１記載の考案は、前方側と下方側とが解放された頭巾本体を、使用者側に加圧して、防災頭巾使用時のぶれ及び脱落を防止する防災頭巾用留め具であって、端部が前記頭巾本体の左右の側面部にそれぞれ連結されるとともに、中間位置に形成した折曲部周りに把持部が形成できるように、一方と他方の端部側同士の一部が互いに結合されている帯状のゴムバンドと、前記ゴムバンドの前記一方と他方の端部側がそれぞれ差し込まれる一対の細長いスリット孔が形成され、前記ゴムバンドが引き伸ばされて薄くなるとこのゴムバンドに沿って移動できるが、前記ゴムバンドの引き延ばしをやめると、その位置で移動を停止する移動板とを有することを特徴とする。
【０００８】
この考案では、把持部をつかんでゴムバンドを引き伸ばし、移動板を把持部側に移動させると、ゴムバンドは見かけ上長くなって、頭巾本体とゴムバンドとで形成される、防災頭巾の下方側開口を大きく開くことができる。この状態で、使用者は、防災頭巾を容易にかぶったり脱いだりすることができる。また、把持部をつかんでゴムバンドを伸ばし、移動板を把持部から遠ざかるように移動させると、移動板と把持部間のゴムバンドは長さに算入されなくなり、ゴムバンドは見かけ上短くなるとともに、伸びて弾性力を作用させる状態になり、頭巾本体の左右の側面部を使用者側（使用者の頭部や顔面側部等）に加圧して、防災頭巾の使用時のぶれ及び脱落を防止する。この場合、把持部の位置にゴムバンドの中間位置があるので、把持部を引いて移動板を移動させた場合、把持部から移動板までのゴムバンド（ゴムバンドの端部側の一方と他方）の長さは等しくなり、頭巾本体の右側部分と左側部分とで、使用者を加圧する力を異ならせてしまうことはない。
【０００９】
この考案の請求項２記載の考案は、請求項１に記載の考案の場合において、前記ゴムバンドの端部が、前記頭巾本体の前記左右の側面部の前端から離れた後部側にそれぞれ連結されているとともに、前記頭巾本体の前記左右の側面部に、前記ゴムバンドの上下移動を防止するガイドが形成されていることを特徴とする。
【００１０】
この考案では、ゴムバンドの一端が、頭巾本体の左右の側面部の前端から離れた後部側に連結されているので、ゴムバンドによる弾性力を、頭巾本体の前端側のみでなく、左右の側面部の多くの部分に作用させることができる。この場合、ガイドによって、ゴムバンドの頭巾本体に対する上下移動が防止されるので、ゴムバンドは頭巾本体の一定の場所に弾性力を作用させることができる。
【００１１】
この考案の請求項３記載の考案は、請求項１又は２に記載の考案の場合において、前記移動板の前記スリット孔には、前記ゴムバンドの端部の一部が差し込める案内孔が設けられていることを特徴とする。
【考案の効果】
【００１２】
この考案の請求項１に記載の考案によれば、ゴムバンドを引き伸ばして移動板を移動させるだけで、防災頭巾を容易にかぶったり脱いだりする状態にすることができ、防災頭巾の着脱の容易化を図ることができる。また、この考案によれば、移動板の、ゴムバンドの把持部からの距離によって、ゴムバンドによる弾性力を調整できるので、使用者の頭部や顔の大きさが異なっても、頭巾本体による使用者への加圧の状態を容易に調整でき、きつすぎて防災頭巾の装着感がよくなかったり、ゆるすぎて防災頭巾がぶれたり脱落したりするのを防止できる。
【００１３】
この考案の請求項２に記載の考案によれば、使用者の頭部や顔の両側面部等は、頭巾本体によってほぼ均一に加圧され、防災頭巾の装着感の向上を図ることができるとともに、防災頭巾のぶれや脱落の更なる防止を図ることができる。
【００１４】
この考案の請求項３記載の考案によれば、移動板のスリット孔は細いので、通常の状態（伸びて薄くなっていない状態）のゴムバンドをスリット孔に通すのは難しいが、案内孔にゴムバンドの端部の一部を通せば、案内孔に案内させて、ゴムバンドをスリット孔に容易に通すことができる。
【考案を実施するための最良の形態】
【００１５】
以下、この考案の最良の実施形態を図面を参照しつつ説明する。
図1及び図２はこの考案の一実施の形態に係る留め具を備えた防災頭巾を示しており、図１は防災頭巾の左右部分が上下に折り畳まれた状態を示し、図２は防災頭巾を立て、下部のみを一部広げている状態を示している。また、図６は、使用者が防災頭巾を装着した状態を示している。
【００１６】
防災頭巾１は、地震等の災害時に、頭部等を守るためにかぶるものであり、図1及び図２で示されるように、使用者Ｍ（図６参照）の頭部や顔の両側面部、及び肩部や背中上部を覆う頭巾本体２と、頭巾本体２を使用者Ｍ側に密着させ、頭巾本体２が使用中にぶれたり、頭等から脱落するのを防止する留め具３とから構成されている。
【００１７】
頭巾本体２は、前方側（図１中左端側）と下方側（図１中下端側）とが解放されるとともに、左右対称な形状に形成されていて、上部側に、使用者Ｍの頭部や顔の両側面部を覆う厚手のクッション部２ａを有し、下部側に、使用者Ｍの首周りや、左右の肩部、及び背中の上部を覆う薄手のスカート部２ｂを有している。この頭巾本体２は、外表面が防炎レザー（ＰＣＶコーティング（防炎薬剤入り）されたポリエステル布）で覆われているとともに、内面が、柔らかいアクリル系樹脂布で覆われている。クッション部２ａ内には、中芯として、例えば、難燃ポリエステル３０％とポリエステル７０％からなる災害用フェルトが詰められている。この頭巾本体２は、折り畳んで、カバー布で覆うことにより、クッションとしても使用できるようになっている。
【００１８】
頭巾本体２のクッション部２ａは、図１、図２及び図６で示されるように、上面部２０と後面部２１とが使用者Ｍの頭部を覆い（後面部２１は使用者Ｍの後頭部を覆う）、左側面部２２が使用者Ｍの顔の左側面部を覆い、右側面部２３が使用者Ｍの顔の右側面部を覆う。また、頭巾本体２のスカート部２ｂは、三角形状の後面部２４が使用者Ｍの首の後面側や背中の上部を覆い、左側面部２５が使用者Ｍの首の左側面側や左肩部分を覆い、右側面部２６が使用者Ｍの首の右側面側や右肩部分を覆う。なお、使用者Ｍが小さな子供である場合、使用者Ｍの首周りは、クッション部２ａで覆われる場合もある。
【００１９】
頭巾本体２には、クッション部２ａの左右の側面部２２，２３に、使用者Ｍが外部の音を聞くことができるような耳金具２７，２７が取り付けられている。また、スカート部２ｂの左右の側面部２５，２６の上部側（使用者Ｍのほぼ首Ｍ２周りの位置にくる部分）には、留め具３のゴムバンド３０（後述）の上下移動を防止する、細長い袋状のガイド２８，２８が前後方向に取り付けられている。このガイド２８は、スカート部２ｂの左右の側面部２２，２３の後部側まで延びている。なお、スカート部２ｂの後面部２４の外面には、種々の表示布２９等が取り付けられている。
【００２０】
留め具３は、図３で示されるように、伸縮自在な帯状のゴムバンド３０と、プラスチック製の薄い略矩形状の移動板３１とから構成されている。
【００２１】
ゴムバンド３０は、繊維中にゴムが編み込まれたもので、力を加えて引っ張ると、伸びて薄い状態の帯状になるが、力を加えないと、厚い状態の帯状を維持する。このゴムバンド３０は、図３で示されるように、中間部で２つに折り曲げられ、この折曲部Ｐを維持した状態で、この接曲部Ｐ周りに把持部３０ａが形成できるように、一方と他方の端部側３０ｂ,３０ｃ同士の一部が互いに縫い合わされて結合されている。ゴムバンド３０の一方の端部側３０ｂは、スカート部２ｂの左側面部２５に設けられたガイド２８内に差し込まれ、端部Ａが、ガイド２８の端部２８ａとともに、スカート部２ｂに縫いつけられて、このスカート部２ｂに連結されている。また、ゴムバンド３０の他方の端部側３０ｃは、スカート部２ｂの右側面部２６に設けられたガイド２８内に差し込まれ、端部Ｂが、ガイド２８の端部２８ａとともに、スカート部２ｂに縫いつけられて、このスカート部２ｂに連結されている。
【００２２】
移動板３１は、これがゴムバンド３０に沿って移動することにより、ゴムバンド３０の作用上（見かけ上）の長さを変えるものである。この移動板３１には、図４で示されるように、中央に、ゴムバンド３０の一方の端部側３０ｂと他方の端部側３０ｃとがそれぞれ差し込まれる、左右一対の細長いスリット孔３１ａ，３１ａが形成されている。このスリット孔３１ａは、ゴムバンド３０が引き伸ばされて薄くなると、移動板３１がゴムバンド３０に沿って移動できるが、ゴムバンド３０の引き延ばしをやめると、移動板３１がその位置で移動を停止するサイズに形成されている。
【００２３】
すなわち、移動板３１は、図５の（ａ）で示されるように、ゴムバンド３０に力を加えない場合には、ゴムバンド３０の厚さＴが、スリット孔３１ａの幅Ｈより充分に大きくなるので、ゴムバンド３０に沿って移動できないが、図５の（ｂ）で示されるように、ゴムバンド３０に力を加えてこれを引っ張ると、ゴムバンド３０の厚さＴがスリット孔３１ａの幅Ｈと等しいか、又はこれより小さくなり、ゴムバンド３０に沿って移動できるようになっている。
【００２４】
また、移動板３１には、スリット孔３１ａの中央に、ゴムバンド３０を通すための、スリット孔３１ａの幅Ｈより径が大きい案内孔３１ｂが形成されている。スリット孔３１ａの幅Ｈは細くて、通常の状態のゴムバンド３０をスリット孔３１ａに通すのは容易でないが、案内孔３１ｂにゴムバンド３０の端部Ａ，Ｂ側の一部（角部）を通すことにより、ゴムバンド３０を、案内孔３１ｂにガイドさせて、スリット孔３１ａに容易に通すことができる。
【００２５】
つぎに留め具３の作用・効果について説明する。
まず、使用者Ｍが、図６で示されるように、防災頭巾１をかぶる（装着する）時には、図２や図３で示されるように、移動板３１をゴムバンド３０の把持部３０ａ近傍の位置まで移動させておき、ゴムバンド３０の見かけ上の長さ、すなわち、ゴムバンド３０の一方の端部側３０ｂの端部Ａから移動板３１までの長さと、ゴムバンド３０の他方の端部側３０ｃの端部Ｂから移動板３１までの長さの合計、を長くしておく。このことにより、頭巾本体２のスカート部２ｂとゴムバンド３０とで形成される、防災頭巾１の下部側開口を大きくすることができるので、使用者Ｍは防災頭巾１を容易に頭部側にかぶることができる。この場合、ゴムバンド３０は伸びて長くなるので、防災頭巾１の下部側開口をより大きくでき、防災頭巾１をかぶることは更に容易となる。
【００２６】
つぎに使用者Ｍは、防災頭巾１をかぶった後、ゴムバンド３０の把持部３０ａを把持して、これが顔の位置から遠ざかるようにゴムバンド３０を引っ張り、ゴムバンド３０の厚さＴを薄くして、移動板３１がゴムバンド３０に沿って移動できるようにする。つづいて、使用者Ｍは、図６で示されるように、移動板３１を、ゴムバンド３０に沿って自分の顔のあごＭ１の下方位置まで移動させ、ゴムバンド３０の見かけ上の長さを短くして、頭巾本体２のスカート部２ｂとゴムバンド３０とで形成される、防災頭巾１の下部側開口を小さくする。この場合、ゴムバンド３０が伸びて、スカート部２ｂの左右の側面部２５，２６には、これらを使用者Ｍの首Ｍ２の周りに近づかせるような、ゴムバンド３０による弾性力が働くため、使用者Ｍの頭部や顔の両側面部等は、ゴムバンド３０が接する左右の側面部２５，２６を介して、頭巾本体２のクッション部２ａにより軽く加圧され、また、使用者Ｍの肩部や背中等も、頭巾本体２のスカート部２ｂにより軽く加圧され、防災頭巾１が使用者Ｍの頭部周りでぶれたり、頭部から脱落するのが防止される。
【００２７】
また、ゴムバンド３０の把持部３０ａの位置にゴムバンド３０の中間位置（接曲部Ｐ）があるので、把持部３０ａを引いて移動板３１を移動させた場合、把持部３０ａから移動板３１までの、ゴムバンド３０の一方の端部側３０ｂと他方の端部側３０ｃとの長さは等しくなり、頭巾本体２の右側の側面部２２，２５と左側の側面部２３，２６とで、使用者Ｍを加圧する力が異なってしまうことはない。
【００２８】
なお、防災頭巾１を脱ぐ場合には、上記操作の逆を行えばよい。
【００２９】
以上のように、この留め具３では、一端が頭巾本体２の左右の側面部２５，２６にそれぞれ連結されるとともに、中間の接曲部Ｐ周りに把持部３０ａが形成できるように、一方と他方の端部側３０ｂ、３０ｃ同士の一部が互いに結合されている帯状のゴムバンド３０と、ゴムバンド３０の両端部側３０ｂ、３０ｃがそれぞれ差し込まれる一対の細長いスリット孔３１ａ，３１ａが形成され、ゴムバンド３０が引き伸ばされて薄くなるとゴムバンド３０に沿って移動できるが、ゴムバンド３０の引き延ばしをやめると、その位置で移動を停止する移動板３１とを有しているので、ゴムバンド３０を引き伸ばして移動板３１を移動させるだけで、防災頭巾１を容易にかぶったり脱いだりする状態にすることができ、防災頭巾１の着脱の容易化を図ることができる。
【００３０】
また、この留め具３では、移動板３１の、ゴムバンド３０の把持部３０ａからの距離によって、ゴムバンド３０による弾性力を調整できるので、使用者Ｍの頭部や顔の大きさ等が異なっても、使用者Ｍに対する、頭巾本体２による加圧の状態を容易に調整でき、きつすぎて防災頭巾の装着感がよくなかったり、ゆるすぎて防災頭巾がぶれたり脱落したりするのを容易に防止できる。
【００３１】
さらに、この留め具３では、ゴムバンド３０の両端Ａ，Ｂが、頭巾本体２の前端側でなく、頭巾本体２の側面部２５，２６の後部側に連結されているので、ゴムバンド３０の弾性力を頭巾本体２の側面部２５，２６のほぼ全域に作用させることができる。このため、この留め具３では、使用者Ｍの頭部や顔の両側面部等を、頭巾本体２でほぼ均一に加圧でき、防災頭巾１の装着感の向上を図ることができるとともに、防災頭巾１の、頭部に対するぶれや頭部からの脱落の更なる防止を図ることができる。
【００３２】
また、この留め具３では、移動板３１のスリット孔３１ａに、ゴムバンド３０の端部Ａ，Ｂの一部が差し込める案内孔３１ｂを設けているので、ゴムバンド３０の端部Ａ，Ｂをスリット孔３１ａの幅Ｈ以下に薄くしなくても、この案内孔３１ｂを介して、ゴムバンド３０をスリット孔３１ａに容易に通すことができ、頭巾本体２への取り付けの容易化を図ることができる。
【００３３】
さらに、この留め具３では、プラスチック製の移動板３１を板状に薄く形成しているので、防災頭巾１をクッションとして利用する場合にも、この移動板３１が使用者に違和感を生じさせることはない。
【図面の簡単な説明】
【００３４】
【図１】この考案の一実施の形態に係る留め具を備えた防災頭巾を、上下に折り畳んだ状態にした場合の、この防災頭巾の平面図である。
【図２】図１で示される防災頭巾を立てるとともに、下部側を一部開いた状態にした場合の、この防災頭巾の正面図である。
【図３】留め具の外観斜視図である。
【図４】移動板の正面図である。
【図５】移動板の作用説明図であり、（ａ）は、ゴムバンドに力を加えず、移動板がゴムバンドに沿って移動できない状態を示し、（ｂ）は、ゴムバンドを引っ張って薄くすることにより、移動板がゴムバンドに沿って移動できる状態を示している。
【図６】使用者Ｍが防災頭巾を装着している状態を示す斜視図である。
【図７】従来技術の説明図である。
【符号の説明】
【００３５】
１  防災頭巾
２  頭巾本体
３  留め具
２５  右側の側面部
２６  左側の側面部
２８  ガイド
３０  ゴムバンド
３０ａ  把持部
３０ｂ  一方の端部側
３０ｃ  他方の端部側
３１  移動板
３１ａ  スリット孔
３１ｂ  案内孔
Ａ，Ｂ  端部
Ｍ  使用者
【図１】
0003139188.tif 000003
【図２】
0003139188.tif 000004
【図３】
0003139188.tif 000005
【図４】
0003139188.tif 000006
【図５】
0003139188.tif 000007
【図６】
0003139188.tif 000008
【図７】
0003139188.tif 000009